(57)【要約】【課題】カバー部材のずれを抑制できる頭部装着型表示装置及びカバー部材を提供する。【解決手段】ユーザーの頭部に装着される頭部装着型表示装置は、所定の視認位置に画像光を第１方向に出射して画像を表示する表示部と、表示部を支持する支持部と、表示部に対して第１方向とは反対方向に位置し、支持部に対して着脱可能に設けられるカバー部材と、を備え、カバー部材は、支持部に対向する対向面に位置し、支持部と接触する接触部と、対向面に位置し、支持部に向かって突出して支持部に挿入される第１突出部と、を有し、カバー部材及び支持部のうち少なくとも一方は、磁力によって他方を引き寄せる磁石を有し、接触部及び第１突出部は、カバー部材を第１方向とは反対方向から見てカバー部材の外縁より内側に設けられている。【選択図】図３
2020053874.tif 000002
【特許請求の範囲】
【請求項１】
ユーザーの頭部に装着される頭部装着型表示装置であって、
所定の視認位置に画像光を第１方向に出射して画像を表示する表示部と、
前記表示部を支持する支持部と、
前記表示部に対して前記第１方向とは反対方向に位置し、前記支持部に対して着脱可能に設けられるカバー部材と、を備え、
前記カバー部材は、
前記支持部に対向する対向面に位置し、前記支持部と接触する接触部と、
前記対向面に位置し、前記支持部に向かって突出して、前記支持部に挿入される第１突出部と、を有し、
前記カバー部材及び前記支持部のうち少なくとも一方は、磁力によって他方を引き寄せる磁石を有し、
前記接触部及び前記第１突出部は、前記カバー部材を前記第１方向とは反対方向から見て前記カバー部材の外縁より内側に設けられていることを特徴とする頭部装着型表示装置。
【請求項２】
請求項１に記載の頭部装着型表示装置において、
前記表示部は、
前記画像光を出射する画像出射部と、
前記画像出射部によって出射された前記画像光を前記視認位置に導く導光部と、を備え、
前記支持部は、前記導光部に対して前記カバー部材側に位置し、前記導光部によって導かれた前記画像光によって形成される前記画像の表示位置を囲む枠部を有し、
前記第１突出部は、前記枠部の内側端縁と当接可能に配置されていることを特徴とする頭部装着型表示装置。
【請求項３】
請求項２に記載の頭部装着型表示装置において、
前記第１突出部は、前記枠部の内側端縁のうち互いに交差する２つの部位に接触可能に配置されていることを特徴とする頭部装着型表示装置。
【請求項４】
請求項２又は請求項３に記載の頭部装着型表示装置において、
前記第１突出部の突出寸法は、前記導光部と接触しない寸法であることを特徴とする頭部装着型表示装置。
【請求項５】
請求項２から請求項４のいずれか一項に記載の頭部装着型表示装置において、
前記カバー部材は、前記対向面において前記接触部に対して前記第１突出部の配置側に位置し、前記支持部と接触して、前記第１突出部が前記導光部と接触することを規制する規制部を有することを特徴とする頭部装着型表示装置。
【請求項６】
請求項２から請求項５のいずれか一項に記載の頭部装着型表示装置において、
前記導光部は、
前記ユーザーの右眼に応じて設けられる右側導光部と、
前記ユーザーの左眼に応じて設けられる左側導光部と、を含み、
前記枠部は、
前記右側導光部に応じて設けられる右側枠部と、
前記左側導光部に応じて設けられる左側枠部と、を含み、
前記カバー部材は、前記カバー部材を前記第１方向とは反対方向から見て前記カバー部材の外縁より内側に設けられ、前記右側枠部及び前記左側枠部の間の部位に当接可能な第２突出部を有し、
前記第１突出部は、前記右側枠部の内側端縁の隅部のうち前記左側枠部とは反対側に位置する２つの隅部のうちの１つと、前記左側枠部の内側端縁の隅部のうち前記右側枠部とは反対側に位置する２つの隅部のうちの１つとに応じて設けられていることを特徴とする頭部装着型表示装置。
【請求項７】
請求項２から請求項５のいずれか一項に記載の頭部装着型表示装置において、
前記導光部は、
前記ユーザーの右眼に応じて設けられる右側導光部と、
前記ユーザーの左眼に応じて設けられる左側導光部と、を含み、
前記枠部は、
前記右側導光部に応じて設けられる右側枠部と、
前記左側導光部に応じて設けられる左側枠部と、を含み、
前記第１突出部は、前記右側枠部の内側端縁の隅部のうち前記左側枠部とは反対側に位置する２つの隅部と、前記左側枠部の内側端縁の隅部のうち前記右側枠部とは反対側に位置する２つの隅部とに応じて設けられていることを特徴とする頭部装着型表示装置。
【請求項８】
請求項２から請求項７のいずれか一項に記載の頭部装着型表示装置において、
前記導光部は、前記導光部を覆う前記カバー部材側から入射される光を透過させる透光性を有し、
前記カバー部材は、入射される光の透過を抑制する透過抑制特性を有することを特徴とする頭部装着型表示装置。
【請求項９】
請求項１から請求項８のいずれか一項に記載の頭部装着型表示装置において、
前記支持部は、互いに離間して設けられる支持部側第１磁石及び支持部側第２磁石を有し、
前記カバー部材は、
前記支持部側第１磁石と引き合うカバー側第１磁石と、
前記支持部側第２磁石と引き合うカバー側第２磁石と、を含み、
前記支持部側第１磁石において前記カバー部材に対向する面の磁極と、前記支持部側第２磁石において前記カバー部材に対向する面の磁極とは、異なることを特徴とする頭部装着型表示装置。
【請求項１０】
請求項１から請求項８のいずれか一項に記載の頭部装着型表示装置において、
前記支持部は、前記カバー部材に対向する面に磁極が互いに異なる領域を有する支持部側磁石を備え、
前記カバー部材は、前記支持部側磁石の磁極に応じた領域を有するカバー側磁石を備えることを特徴とする頭部装着型表示装置。
【請求項１１】
請求項１から請求項１０のいずれか一項に記載の頭部装着型表示装置において、
前記支持部は、
前記磁石と、
前記磁力による吸着力を高めるヨークと、を有することを特徴とする頭部装着型表示装置。
【請求項１２】
請求項１から請求項１１のいずれか一項に記載の頭部装着型表示装置において、
前記カバー部材は、
前記ユーザーの右眼に応じた右側領域と、
前記ユーザーの左眼に応じた左側領域と、を有し、
前記右側領域及び前記左側領域は、互いに離れる方向に向かうに従って、前記支持部側に傾斜していることを特徴とする頭部装着型表示装置。
【請求項１３】
請求項１２に記載の頭部装着型表示装置において、
前記右側領域と前記左側領域との交差角は、１７０°未満であることを特徴とする頭部装着型表示装置。
【請求項１４】
画像光を出射して画像を表示する表示部が設けられる支持部を備える頭部装着型表示装置の前記支持部に着脱可能に設けられるカバー部材であって、
前記支持部と接触する接触部と、
前記支持部に向かって突出して、前記支持部に挿入される突出部と、
磁力によって前記支持部を引き寄せる磁石、及び、磁力によって前記支持部に引き寄せられる磁性体のうちのいずれかと、を有し、
前記接触部及び前記突出部は、前記カバー部材を前記表示部による前記画像光の出射側とは反対側から見て前記カバー部材の外縁より内側に設けられていることを特徴とするカバー部材。
【発明の詳細な説明】
【技術分野】
【０００１】
本発明は、頭部装着型表示装置及びカバー部材に関する。
【背景技術】
【０００２】
従来、ユーザーの頭部に装着され、ユーザーによって視認可能に画像を表示する頭部装着型表示装置が知られている。このような頭部装着型表示装置として、アイカバーを装着可能な頭部装着型コンピューターが知られている（例えば、特許文献１参照）。
特許文献１に記載の頭部装着型コンピューターは、レンズの除去及び交換を容易とするために、レンズを磁石によって保持している。
【先行技術文献】
【特許文献】
【０００３】
【特許文献１】国際公開第２０１６／１３３８８６号
【発明の概要】
【発明が解決しようとする課題】
【０００４】
ところで、磁石の吸着力は、吸着面に対する垂直方向には強く作用する一方で、吸着面に対する平行方向にはそれほど強く作用しない。すなわち、取付部に設けられた磁石によって、取付対象物を取付部に着脱可能に取り付ける場合、磁石の吸着面に対する垂直方向への取付対象物の移動は容易でない一方で、磁石の吸着面に対する平行方向への取付対象物の移動は生じやすい。
このため、特許文献１に記載の頭部装着型コンピューターのように、筐体に設けられた磁石によってレンズ等の取付対象物が保持される構成である場合、磁石の吸着面に対して平行に取付対象物がずれた場合、取付対象物が筐体から外れやすいという問題がある。
このような問題に対し、磁石の吸着力を強めることが考えられる。しかしながら、この場合には、取付対象物を取付部から取外しづらくなるという問題が発生する。
【課題を解決するための手段】
【０００５】
本発明の第１態様に係る頭部装着型表示装置は、ユーザーの頭部に装着される頭部装着型表示装置であって、所定の視認位置に画像光を第１方向に出射して画像を表示する表示部と、前記表示部を支持する支持部と、前記表示部に対して前記第１方向とは反対方向に位置し、前記支持部に対して着脱可能に設けられるカバー部材と、を備え、前記カバー部材は、前記支持部に対向する対向面に位置し、前記支持部と接触する接触部と、前記対向面に位置し、前記支持部に向かって突出して、前記支持部に挿入される第１突出部と、を有し、前記カバー部材及び前記支持部のうち少なくとも一方は、磁力によって他方を引き寄せる磁石を有し、前記接触部及び前記第１突出部は、前記カバー部材を前記第１方向とは反対方向から見て前記カバー部材の外縁より内側に設けられていることを特徴とする。
【０００６】
上記第１態様では、前記表示部は、前記画像光を出射する画像出射部と、前記画像出射部によって出射された前記画像光を前記視認位置に導く導光部と、を備え、前記支持部は、前記導光部に対して前記カバー部材側に位置し、前記導光部によって導かれた前記画像光によって形成される前記画像の表示位置を囲む枠部を有し、前記第１突出部は、前記枠部の内側端縁と当接可能に配置されていることが好ましい。
【０００７】
上記第１態様では、前記第１突出部は、前記枠部の内側端縁のうち互いに交差する２つの部位に接触可能に配置されていることが好ましい。
【０００８】
上記第１態様では、前記第１突出部の突出寸法は、前記導光部と接触しない寸法であることが好ましい。
【０００９】
上記第１態様では、前記カバー部材は、前記対向面において前記接触部に対して前記第１突出部の配置側に位置し、前記支持部と接触して、前記第１突出部が前記導光部と接触することを規制する規制部を有することが好ましい。
【００１０】
上記第１態様では、前記導光部は、前記ユーザーの右眼に応じて設けられる右側導光部と、前記ユーザーの左眼に応じて設けられる左側導光部と、を含み、前記枠部は、前記右側導光部に応じて設けられる右側枠部と、前記左側導光部に応じて設けられる左側枠部と、を含み、前記カバー部材は、前記カバー部材を前記第１方向とは反対方向から見て前記カバー部材の外縁より内側に設けられ、前記右側枠部及び前記左側枠部の間の部位に当接可能な第２突出部を有し、前記第１突出部は、前記右側枠部の内側端縁の隅部のうち前記左側枠部とは反対側に位置する２つの隅部のうちの１つと、前記左側枠部の内側端縁の隅部のうち前記右側枠部とは反対側に位置する２つの隅部のうちの１つとに応じて設けられていることが好ましい。
【００１１】
上記第１態様では、前記導光部は、前記ユーザーの右眼に応じて設けられる右側導光部と、前記ユーザーの左眼に応じて設けられる左側導光部と、を含み、前記枠部は、前記右側導光部に応じて設けられる右側枠部と、前記左側導光部に応じて設けられる左側枠部と、を含み、前記第１突出部は、前記右側枠部の内側端縁の隅部のうち前記左側枠部とは反対側に位置する２つの隅部と、前記左側枠部の内側端縁の隅部のうち前記右側枠部とは反対側に位置する２つの隅部とに応じて設けられていることが好ましい。
【００１２】
上記第１態様では、前記導光部は、前記導光部を覆う前記カバー部材側から入射される光を透過させる透光性を有し、前記カバー部材は、入射される光の透過を抑制する透過抑制特性を有することが好ましい。
【００１３】
上記第１態様では、前記支持部は、互いに離間して設けられる支持部側第１磁石及び支持部側第２磁石を有し、前記カバー部材は、前記支持部側第１磁石と引き合うカバー側第１磁石と、前記支持部側第２磁石と引き合うカバー側第２磁石と、を含み、前記支持部側第１磁石において前記カバー部材に対向する面の磁極と、前記支持部側第２磁石において前記カバー部材に対向する面の磁極とは、異なることが好ましい。
【００１４】
上記第１態様では、前記支持部は、前記カバー部材に対向する面に磁極が互いに異なる領域を有する支持部側磁石を備え、前記カバー部材は、前記支持部側磁石の磁極に応じた領域を有するカバー側磁石を備えることが好ましい。
【００１５】
上記第１態様では、前記支持部は、前記磁石と、前記磁力による吸着力を高めるヨークと、を有することが好ましい。
【００１６】
上記第１態様では、前記カバー部材は、前記ユーザーの右眼に応じた右側領域と、前記ユーザーの左眼に応じた左側領域と、を有し、前記右側領域及び前記左側領域は、互いに離れる方向に向かうに従って、前記支持部側に傾斜していることが好ましい。
【００１７】
上記第１態様では、前記右側領域と前記左側領域との交差角は、１７０°未満であることが好ましい。
【００１８】
本発明の第２態様に係るカバー部材は、画像光を出射して画像を表示する表示部が設けられる支持部を備える頭部装着型表示装置の前記支持部に着脱可能に設けられるカバー部材であって、前記支持部と接触する接触部と、前記支持部に向かって突出して、前記支持部に挿入される突出部と、磁力によって前記支持部を引き寄せる磁石、及び、磁力によって前記支持部に引き寄せられる磁性体のうちのいずれかと、を有し、前記接触部及び前記突出部は、前記カバー部材を前記表示部による前記画像光の出射側とは反対側から見て前記カバー部材の外縁より内側に設けられていることを特徴とする。
【図面の簡単な説明】
【００１９】
【図１】本発明の第１実施形態に係る頭部装着型表示装置を示す斜視図。
【図２】上記第１実施形態における頭部装着型表示装置を示す斜視図。
【図３】上記第１実施形態におけるカバー部材を取り外した頭部装着型表示装置を示す斜視図。
【図４】上記第１実施形態におけるカバー部材を取り外した頭部装着型表示装置を示す斜視図。
【図５】上記第１実施形態における装着部材を分離した装置本体を示す斜視図。
【図６】上記第１実施形態における装着部材を示す断面図。
【図７】上記第１実施形態におけるカバー部材を示す斜視図。
【図８】上記第１実施形態における頭部装着型表示装置を示す正面図。
【図９】図８のＩＸ−ＩＸ線における頭部装着型表示装置の断面を示す図。
【図１０】図８のＸ−Ｘ線における頭部装着型表示装置の断面を示す図。
【図１１】上記第１実施形態におけるカバー部材を示す平面図。
【図１２】上記第１実施形態における他のカバー部材を含む頭部装着型表示装置を示す斜視図。
【図１３】上記第１実施形態におけるカバー部材を示す背面図。
【図１４】上記第１実施形態における他のカバー部材を含む頭部装着型表示装置を示す正面図。
【図１５】上記第１実施形態におけるカバー部材の変形を示す背面図。
【図１６】本発明の第２実施形態に係る頭部装着型表示装置の装置本体を示す正面図。
【図１７】上記第２実施形態におけるカバー部材を示す背面図。
【図１８】本発明の第３実施形態に係る頭部装着型表示装置の装置本体を示す正面図。
【図１９】上記第３実施形態におけるカバー部材を示す背面図。
【発明を実施するための形態】
【００２０】
［第１実施形態］
以下、本発明の第１実施形態を、図面に基づいて説明する。
［頭部装着型表示装置の概略構成］
図１及び図２は、本実施形態に係る頭部装着型表示装置１Ａを正面側上方及び背面側下方から見た斜視図である。図３及び図４は、装置本体２Ａからカバー部材６Ａを取り外した状態の頭部装着型表示装置１Ａを正面側上方及び背面側下方から見た斜視図である。
本実施形態に係る頭部装着型表示装置１Ａは、ユーザーの頭部に装着されて利用され、ユーザーによって視認可能に画像を表示する虚像表示装置であり、いわゆるヘッドマウントディスプレイ（ＨＭＤ：Head Mounted Display）である。頭部装着型表示装置１Ａは、図１〜図４に示すように、装置本体２Ａと、装置本体２Ａにそれぞれ着脱可能に設けられるカバー部材６Ａと、を有する。
【００２１】
なお、以下の説明では、頭部装着型表示装置１Ａによって表示された画像をユーザーが観察するときに視線が向く方向を正面方向（前方）とし、正面方向とは反対方向を背面方向とする。すなわち、正面方向は、背面から正面に向かう方向である。また、頭部装着型表示装置１Ａにおける上側及び下側は、ユーザーにおける上側及び下側に対応し、頭部装着型表示装置１Ａにおける右側及び左側は、ユーザーにおける右側及び左側に対応する。そして、図１以降の図にて示す＋Ｚ方向、＋Ｙ方向及び＋Ｘ方向は、互いに直交しており、＋Ｚ方向は正面方向を示し、＋Ｙ方向は上方向（下から上に向かう方向）を示し、＋Ｘ方向は右方向（左から右に向かう方向）を示している。また、図示を省略するが、説明の便宜上、＋Ｘ方向、＋Ｙ方向及び＋Ｚ方向のそれぞれの反対方向を−Ｘ方向、−Ｙ方向及び−Ｚ方向とする。すなわち、−Ｚ方向は、表示部が画像光を出射する第１方向に相当し、第１方向とは反対方向は、＋Ｚ方向である。
【００２２】
［装置本体の構成］
図５は、支持部４を構成する装着部材４３Ａを分離した状態の装置本体２Ａを正面側上方から見た分解斜視図である。
装置本体２Ａは、単体で頭部装着型表示装置として利用できるものであり、ユーザーの頭部に装着されて、ユーザーによって視認可能に画像を表示する。すなわち、ユーザーは、カバー部材６Ａを用いない状態でも、装置本体２Ａを頭部に装着することによって、画像を視認することが可能である。
装置本体２Ａは、図３〜図５に示すように、表示部３、支持部４及びテンプル５Ｌ，５Ｒを有する。
これらのうち、テンプル５Ｌ，５Ｒは、ユーザーの頭部への装置本体２Ａの装着時に左耳及び右耳に懸架される部材である。テンプル５Ｌ，５Ｒが左耳及び右耳に懸架されるとともに、後述するノーズパッドＮＰがユーザーの鼻に当接することによって、装置本体２Ａはユーザーの頭部に装着される。
【００２３】
［表示部の構成］
表示部３は、所定の視認位置に画像を出射して表示する。所定の視認位置は、表示部３を構成する光学系によって形成された射出瞳の位置である。本実施形態では、所定の視認位置は、ユーザーの左眼及び右眼に応じた仮想の位置に設定されており、表示部３は、視認位置の１つであるユーザーの左眼に左眼用画像を出射するとともに、視認位置の他の１つであるユーザーの右眼に右眼用画像を出射することによって、左眼用画像及び右眼用画像をユーザーに視認可能に表示する。
表示部３は、ユーザーにとっての左方である−Ｘ方向に位置して左眼用画像光を出射し、左眼用画像光によって形成される左眼用画像を表示する左側表示部３Ｌと、ユーザーにとっての右方である＋Ｘ方向に位置して右眼用画像光を出射し、右眼用画像光によって形成される右眼用画像を表示する右側表示部３Ｒと、を備える。
【００２４】
［左側表示部の構成］
左側表示部３Ｌは、左眼用画像を形成する左眼用画像光を出射する画像出射部としての左側出射部３１Ｌと、出射された左眼用画像光をユーザーの左眼に導く導光部としての左側導光部３２Ｌと、を有する。
左側出射部３１Ｌは、後述する左側筐体４２Ｌ内に収容され、外部から入力される画像情報に応じた左眼用画像光を形成及び出射する。左側出射部３１Ｌは、詳しい図示を省略するが、制御部、画像形成部及び画像投射部を有する。
【００２５】
制御部は、外部から入力される画像情報に応じた画像信号を画像形成部に出力して、画像情報に応じた画像光を画像形成部に形成させる回路基板である。
画像形成部は、制御部による制御の下、入力される画像信号に応じた左眼用画像光を形成する。画像形成部は、有機ＥＬ（Electro-Luminescence）パネル等の自己発光型表示パネルによって構成できる。この他、画像形成部は、ＬＥＤ等の光源と透過型又は反射型の液晶パネル、或いは、ＭＥＭＳミラー等のマイクロミラーを用いたデバイス等の光変調装置との組合せにより構成できる。
画像投射部は、レンズやプリズムによって構成され、画像形成部によって形成された画像光を左側導光部３２Ｌに投射する。
【００２６】
左側導光部３２Ｌは、後述するフレーム４１によって支持され、ユーザーの左眼に応じた位置に配置される。左側導光部３２Ｌは、左側出射部３１Ｌから出射された左眼用画像光を、界面にて内面反射させ、ユーザーの左眼の眼球に応じて設けられた半透過層によって左眼に導く。すなわち、左側表示部３Ｌは、左眼用画像光を左側導光部３２Ｌから第１方向である−Ｚ方向に出射して、ユーザーによって視認可能に左眼用画像を表示する。左側導光部３２Ｌは、可視光領域で高い透光性を示すシクロオレフィンポリマー等の樹脂により形成されており、ユーザーは、左側導光部３２Ｌを介して外界を観察可能である。
【００２７】
［右側表示部の構成］
右側表示部３Ｒは、右眼用画像を形成する右眼用画像光を出射する画像出射部としての右側出射部３１Ｒと、出射された右眼用画像光をユーザーの右眼に導く導光部としての右側導光部３２Ｒと、を有する。
右側出射部３１Ｒは、後述する右側筐体４２Ｒ内に収容され、外部から入力される画像情報に応じた右眼用画像光を形成及び出射する。右側出射部３１Ｒは、左側出射部３１Ｌと同様に、制御部、画像形成部及び画像投射部を有する。
右側導光部３２Ｒは、左側導光部３２Ｌと同様に、後述するフレーム４１によって支持され、ユーザーの右眼に応じた位置に配置される。右側導光部３２Ｒは、右側出射部３１Ｒから出射された右眼用画像光を、界面にて内面反射させ、ユーザーの右眼の眼球に応じて設けられた半透過層によって右眼に導く。すなわち、右側表示部３Ｒは、右眼用画像光を右側導光部３２Ｒから第１方向である−Ｚ方向に出射して、ユーザーによって視認可能に右眼用画像を表示する。右側導光部３２Ｒは、左側導光部３２Ｌと同様の透光性を有する材料によって構成されており、ユーザーは、右側導光部３２Ｒを介して外界を観察可能である。
このように、装置本体２Ａは、ユーザーが画像と外界とを同時に観察可能なシースルー型の頭部装着型表示装置である。
【００２８】
［支持部の構成］
支持部４は、図３〜図５に示すように、表示部３を支持するとともに、テンプル５Ｌ，５Ｒを回動可能に支持する。支持部４は、＋Ｘ方向に延出するフレーム４１と、それぞれフレーム４１に取り付けられる左側筐体４２Ｌ及び右側筐体４２Ｒと、装着部材４３Ａと、を有する。
【００２９】
［フレームの構成］
フレーム４１は、＋Ｙ方向から見て略Ｕ字状に形成された金属製部材であり、一端が−Ｘ方向に位置し、他端が＋Ｘ方向に位置する。フレーム４１は、左側導光部３２Ｌ及び右側導光部３２Ｒに対して＋Ｙ方向に位置し、左側導光部３２Ｌ及び右側導光部３２Ｒを支持する。
フレーム４１は、図４に示すように、左側導光部３２Ｌと右側導光部３２Ｒとに挟まれる位置に、取付部４１１を有する。取付部４１１は、ユーザーの鼻に当接するノーズパッドＮＰが着脱可能に取り付けられる部位である。なお、図示を省略するが、ノーズパッドＮＰは、ユーザーの鼻の形状及び大きさに応じて構成でき、頭部装着型表示装置１Ａを使用するユーザー毎に交換可能である。
【００３０】
［左側筐体の構成］
左側筐体４２Ｌは、フレーム４１における左側である−Ｘ方向の端部に取り付けられ、左側出射部３１Ｌを収容する合成樹脂製の筐体である。左側筐体４２Ｌは、＋Ｘ方向で＋Ｚ方向の部位に、取付部４２１Ｌを有する。すなわち、取付部４２１Ｌは、左側筐体４２Ｌにおいて右側筐体４２Ｒ側の側面に設けられている。
取付部４２１Ｌは、テンプル５Ｌを回動可能に支持する他、装着部材４３Ａの後述する固定部４３９Ｌが固定される部位である。取付部４２１Ｌに支持されたテンプル５Ｌは、取付部４２１Ｌからのテンプル５Ｌの延出方向が−Ｚ方向に沿う状態から、テンプル５Ｌの延出方向が＋Ｘ方向に沿う状態となるまでの回動範囲において回動可能である。
【００３１】
［右側筐体の構成］
右側筐体４２Ｒは、フレーム４１における右側である＋Ｘ方向の端部に取り付けられ、右側出射部３１Ｒを収容する合成樹脂製の筐体である。右側筐体４２Ｒは、−Ｘ方向で＋Ｚ方向の部位に、取付部４２１Ｒを有する。すなわち、取付部４２１Ｒは、右側筐体４２Ｒにおいて左側筐体４２Ｌ側の側面に設けられている。
取付部４２１Ｒは、取付部４２１Ｌと同様に、テンプル５Ｒを回動可能に支持する他、装着部材４３Ａの後述する固定部４３９Ｒが固定される部位である。取付部４２１Ｒに支持されたテンプル５Ｒは、上記テンプル５Ｌと同様に、取付部４２１Ｒからのテンプル５Ｒの延出方向が−Ｚ方向に沿う状態から、テンプル５Ｒの延出方向が−Ｘ方向に沿う状態となるまでの回動範囲において回動可能である。
そして、取付部４２１Ｌ，４２１Ｒからの延出方向が−Ｚ方向に沿うようにテンプル５Ｌ，５Ｒが伸長された状態にて、装置本体２Ａは、ユーザーの頭部に装着可能となる。また、取付部４２１Ｌ，４２１Ｒからの延出方向が＋Ｘ方向及び−Ｘ方向に沿うようにテンプル５Ｌ，５Ｒが屈曲された状態にて、装置本体２Ａは、ケース等に収容可能な状態となる。
【００３２】
［装着部材の構成］
装着部材４３Ａは、図３〜図５に示すように、フレーム４１、左側導光部３２Ｌ及び右側導光部３２Ｒを＋Ｚ方向にて覆う状態で、取付部４２１Ｌ，４２１Ｒに取り付けられて、支持部４の一部を構成する。装着部材４３Ａは、支持部４において、後述するカバー部材６Ａが着脱可能に装着される部位である。
装着部材４３Ａは、左側導光部３２Ｌ及び右側導光部３２Ｒに対して＋Ｚ方向に配置される本体部４３１と、本体部４３１からそれぞれ−Ｚ方向に延出する固定部４３９Ｌ，４３９Ｒと、を有する。
【００３３】
固定部４３９Ｌは、本体部４３１における−Ｘ方向の端部近傍の位置に設けられている。固定部４３９Ｌは、本体部４３１における＋Ｙ方向の端縁から−Ｚ方向に延出する上側腕部４３９１と、本体部４３１における−Ｙ方向の端縁から−Ｚ方向に延出する下側腕部４３９３と、を備える。上側腕部４３９１は、−Ｙ方向に貫通する貫通孔４３９２を有し、下側腕部４３９３は、＋Ｙ方向に貫通する貫通孔４３９４を有する。
固定部４３９Ｒは、本体部４３１における＋Ｘ方向の端部近傍の位置に設けられている。固定部４３９Ｒも、固定部４３９Ｌと同様に、貫通孔４３９２を有する上側腕部４３９１と、貫通孔４３９４を有する下側腕部４３９３と、を備える。
【００３４】
装着部材４３Ａが、左側筐体４２Ｌ及び右側筐体４２Ｒに固定される場合、固定部４３９Ｌの貫通孔４３９２，４３９４には、取付部４２１Ｌに形成された図示しないねじ孔に螺合するねじが挿通する。詳述すると、ねじは、貫通孔４３９２，４３９４を挿通し、更にテンプル５Ｌを挿通して、取付部４２１Ｌのねじ孔に螺合する。
同様に、固定部４３９Ｒの貫通孔４３９２，４３９４には、取付部４２１Ｒに形成された図示しないねじ孔に螺合するねじが挿通する。詳述すると、ねじは、貫通孔４３９２，４３９４を挿通し、更にテンプル５Ｒを挿通して、取付部４２１Ｒのねじ孔に螺合する。
これにより、＋Ｚ方向から見て本体部４３１が左側導光部３２Ｌ及び右側導光部３２Ｒと重なり、かつ、固定部４３９Ｌがフレーム４１及び左側導光部３２Ｌを＋Ｙ方向にて挟み、固定部４３９Ｒがフレーム４１及び右側導光部３２Ｒを＋Ｙ方向にて挟むように、装着部材４３Ａが、左側筐体４２Ｌ及び右側筐体４２Ｒに取り付けられる。
【００３５】
本体部４３１は、図３及び図５に示すように、＋Ｚ方向から見て略長方形状の左側開口部４３２Ｌを形成する左側枠部４３３Ｌと、同じく略長方形状の右側開口部４３２Ｒを形成する右側枠部４３３Ｒと、移動規制部４３４と、カバー部材６Ａに接触するとともに、カバー部材６Ａを吸着する磁力が作用する磁力作用部４３５Ｌ，４３５Ｒと、を有する。
【００３６】
左側枠部４３３Ｌ及び右側枠部４３３Ｒは、本発明の枠部に相当する。
左側枠部４３３Ｌによって形成される左側開口部４３２Ｌは、左側導光部３２Ｌに応じた位置に設けられている。右側枠部４３３Ｒによって形成される右側開口部４３２Ｒは、右側導光部３２Ｒに応じた位置に設けられている。詳述すると、左側枠部４３３Ｌは、左側導光部３２Ｌに対する＋Ｚ方向に位置し、＋Ｚ方向から見て、左側導光部３２Ｌによる左眼用画像の表示位置を囲む。また、右側枠部４３３Ｒは、右側導光部３２Ｒに対する＋Ｚ方向に位置し、＋Ｚ方向から見て、右側導光部３２Ｒによる右眼用画像の表示位置を囲む。ユーザーが左側導光部３２Ｌ及び右側導光部３２Ｒを介して外界を観察する場合には、ユーザーの視線は、左側開口部４３２Ｌ及び右側開口部４３２Ｒを通過することとなる。
左側枠部４３３Ｌ内、すなわち、左側開口部４３２Ｌ内には、後述するカバー部材６Ａの第１突出部６４Ｌが配置される。また、右側枠部４３３Ｒ内、すなわち、右側開口部４３２Ｒ内には、カバー部材６Ａの第１突出部６４Ｒが配置される。
【００３７】
移動規制部４３４は、本体部４３１の−Ｙ方向の端縁における＋Ｘ方向の中央に上下逆の略Ｕ字状に形成されている。すなわち、移動規制部４３４は、左側枠部４３３Ｌ及び右側枠部４３３Ｒが重なる位置に形成されている。
移動規制部４３４は、フレーム４１の取付部４１１と当接可能に配置されて、装着部材４３Ａの移動を規制するとともに、後述するカバー部材６Ａの第２突出部６５が当接して、カバー部材６Ａの＋Ｙ方向への移動を規制する。
本実施形態では、移動規制部４３４は、＋Ｚ方向から見て−Ｙ方向に凹んだ略Ｕ字状に形成されている。しかしながら、これに限らず、移動規制部４３４の形状は、移動規制部４３４と当接する第２突出部６５の形状に合わせて、適宜変更可能である。
【００３８】
磁力作用部４３５Ｌは、本体部４３１における−Ｘ方向の端部近傍に設けられている。詳述すると、磁力作用部４３５Ｌは、本体部４３１における＋Ｚ方向側の面である正面４３１Ａの−Ｘ方向で＋Ｙ方向の隅部に設けられている。また、磁力作用部４３５Ｒは、本体部４３１における＋Ｘ方向の端部近傍に設けられている。詳述すると、磁力作用部４３５Ｒは、正面４３１Ａの＋Ｘ方向で＋Ｙ方向の隅部に設けられている。
【００３９】
図６は、磁力作用部４３５Ｒの中心を通るＹＺ平面に沿う装着部材４３Ａの断面を示す図である。
磁力作用部４３５Ｌ，４３５Ｒのうち、磁力作用部４３５Ｒは、図６に示すように、磁石４３６Ｒ、接着シート４３７及びヨーク４３８を有する。
磁石４３６Ｒは、カバー部材６Ａに設けられた磁石ＭＧ（ＭＧＲ）を吸着して、カバー部材６Ａを引き寄せる。本実施形態では、磁石４３６Ｒは、略円柱状に形成され、接着シート４３７によって、本体部４３１における−Ｚ方向の面である背面４３１Ｂに形成された凹部４３１１内に、ヨーク４３８とともに配置される。しかしながら、これに限らず、例えば、磁石４３６Ｒは他の形状であってもよく、接着剤等の他の取付手段によって取り付けられていてもよい。
【００４０】
ヨーク４３８は、磁石４３６Ｒに対する−Ｚ方向に磁石４３６Ｒと接触して設けられている。ヨーク４３８が磁石４３６Ｒに対して−Ｚ方向に設けられていることから、磁石４３６Ｒの磁束は、＋Ｚ方向に誘導される。これにより、磁石４３６Ｒによるカバー部材６Ａの吸着力を高められる。この他、磁束が−Ｚ方向に向くことを抑制できるので、磁力作用部４３５Ｒ近傍に設けられる右側出射部３１Ｒの制御部に設けられた回路素子に、磁石４３６Ｒの磁力が悪影響を及ぼすことを抑制できる。
【００４１】
磁力作用部４３５Ｌは、図示を省略するが、磁力作用部４３５Ｒと同様に、磁石４３６Ｌ（図８参照）、接着シート４３７及びヨーク４３８を有し、磁石４３６Ｌ、接着シート４３７及びヨーク４３８は、磁力作用部４３５Ｌに応じて背面４３１Ｂに形成された凹部４３１１内に嵌め込まれている。このような磁力作用部４３５Ｌにより、カバー部材６Ａが本体部４３１、ひいては、支持部４に吸着される他、左側出射部３１Ｌの制御部に設けられた回路素子に、磁石４３６Ｌの磁力が悪影響を及ぼすことを抑制できる。
なお、磁石４３６Ｌ，４３６Ｒにおける＋Ｚ方向の面の磁極は、Ｓ極であってもよくＮ極であってもよい。しかしながら、本実施形態では、磁石４３６Ｌにおける＋Ｚ方向の面の磁極と、磁石４３６Ｒにおける＋Ｚ方向の面の磁極とは異なる。
このようにして、カバー部材６Ａは、支持部側第１磁石及び支持部側第２磁石に相当する磁石４３６Ｒ，４３６Ｌの磁力によって支持部４に装着される。
【００４２】
［カバー部材の構成］
図７は、カバー部材６Ａを＋Ｙ方向で−Ｚ方向から見た斜視図である。
カバー部材６Ａは、図１〜図４に示したように、装着部材４３Ａに装着されて、左側導光部３２Ｌ及び右側導光部３２Ｒを＋Ｚ方向にて覆って保護する他、＋Ｚ方向から入射される光の透過を抑制して、表示部３によって表示される画像の視認性を高めるものである。すなわち、カバー部材６Ａは、入射される光の透過抑制特性を有する。
カバー部材６Ａは、図７に示すように、カバー本体６１と、磁石ＭＧ（ＭＧＬ，ＭＧＲ）と、を有する。
【００４３】
カバー本体６１は、合成樹脂によって構成され、＋Ｚ方向から見て左側導光部３２Ｌ及び右側導光部３２Ｒを完全に覆う大きさに形成されている。カバー本体６１における＋Ｙ方向の端縁は、＋Ｘ方向に沿う略直線状に形成されている。一方、カバー本体６１における−Ｙ方向の端縁は、＋Ｘ方向の端部及び−Ｘ方向の端部から＋Ｘ方向における中央に向かうに従って−Ｙ方向に円弧状に湾曲した後、＋Ｙ方向にそれぞれ円弧状に湾曲している。そして、−Ｙ方向の端縁における＋Ｘ方向の中央に、第２突出部６５が設けられている。
【００４４】
カバー本体６１は、装着部材４３Ａに対向する−Ｚ方向の面である対向面６１１に、接触部６２Ｌ，６２Ｒと、規制部６３Ｌ，６３Ｒ、第１突出部６４Ｌ，６４Ｒ及び第２突出部６５と、を有する。
接触部６２Ｌは、対向面６１１において−Ｘ方向で＋Ｙ方向の隅部に設けられ、接触部６２Ｒは、対向面６１１において＋Ｘ方向で＋Ｙ方向の隅部に設けられている。
接触部６２Ｌは、略円筒状に突設されている。接触部６２Ｌは、内側に磁石ＭＧＬを有する。磁石ＭＧＬの位置は、カバー部材６Ａが装着部材４３Ａに装着されたときの磁石４３６Ｌの位置に対応する。
接触部６２Ｒも同様に、略円筒状に突設されている。接触部６２Ｒは、内側に磁石ＭＧＲを有する。磁石ＭＧＲの位置は、カバー部材６Ａが装着部材４３Ａに装着されたときの磁石４３６Ｒの位置に対応する。
【００４５】
カバー部材６Ａは、カバー側第１磁石及びカバー側第２磁石に相当する磁石ＭＧＬ，ＭＧＲが、対応する磁石４３６Ｌ，４３６Ｒに引き寄せられることによって、装着部材４３Ａ、ひいては、支持部４に装着される。詳述すると、カバー部材６Ａは、磁石ＭＧＬ，ＭＧＲが磁石４３６Ｌ，４３６Ｒに引き寄せられることによって、接触部６２Ｌ，６２Ｒにおける−Ｚ方向の端部を構成する磁石ＭＧＬ，ＭＧＲが装着部材４３Ａの正面４３１Ａに接触するように、支持部４に装着される。
なお、上記したように、磁石４３６Ｌと磁石４３６Ｒとでは、カバー部材６Ａに対向する面の磁極が異なる。このため、磁石ＭＧＬと磁石ＭＧＲとで、装着部材４３Ａに対向する面の磁極も異なっている。
【００４６】
規制部６３Ｌは、対向面６１１において−Ｘ方向で−Ｙ方向の隅部に設けられ、規制部６３Ｒは、対向面６１１において＋Ｘ方向で−Ｙ方向の隅部に設けられている。詳述すると、規制部６３Ｌは、接触部６２Ｌに対して−Ｙ方向に位置し、規制部６３Ｒは、接触部６２Ｒに対して−Ｙ方向に位置する。換言すると、規制部６３Ｌは、対向面６１１において接触部６２Ｌに対して第１突出部６４Ｌの配置側に位置し、規制部６３Ｒは、対向面６１１において接触部６２Ｒに対して第１突出部６４Ｒの配置側に位置している。
規制部６３Ｌ，６３Ｒは、接触部６２Ｌ，６２Ｒが装着部材４３Ａの正面４３１Ａに当接した際に正面４３１Ａに当接して、カバー部材６Ａが−Ｙ方向に傾いて装着されることを規制する。更に、規制部６３Ｌ，６３Ｒは、第１突出部６４Ｌ，６４Ｒが左側導光部３２Ｌ及び右側導光部３２Ｒと接触することを規制する。
【００４７】
図８は、カバー部材６Ａが装置本体２Ａに装着された頭部装着型表示装置１Ａを示す正面図であり、換言すると、頭部装着型表示装置１Ａを＋Ｚ方向から見た平面図である。
第１突出部６４Ｌ，６４Ｒ及び第２突出部６５は、対向面６１１から−Ｚ方向に突設されている。詳述すると、第１突出部６４Ｌ，６４Ｒ及び第２突出部６５は、頭部装着型表示装置１Ａの正面方向である＋Ｚ方向、すなわち、第１方向とは反対方向である＋Ｚ方向から見て、カバー部材６Ａの外縁より内側の位置から−Ｚ方向に突出している。すなわち、上記した接触部６２Ｌ，６２Ｒ及び規制部６３Ｌ，６３Ｒだけでなく、第１突出部６４Ｌ，６４Ｒ及び第２突出部６５も、＋Ｚ方向から見て、カバー部材６Ａの外縁より内側に設けられている。このため、図８に示すように、接触部６２Ｌ，６２Ｒ、規制部６３Ｌ，６３Ｒ、第１突出部６４Ｌ，６４Ｒ及び第２突出部６５は、カバー部材６Ａを＋Ｚ方向から見た場合に視認できない位置に設けられている。
【００４８】
第１突出部６４Ｌは、図７に示すように、−Ｚ方向から見て略Ｌ字状に形成され、第１突出部６４Ｒは、−Ｚ方向から見て左右逆向きの略Ｌ字状に形成されている。
第１突出部６４Ｌは、対向面６１１において−Ｘ方向で−Ｙ方向の隅部近傍の位置に設けられ、第１突出部６４Ｒは、対向面６１１において＋Ｘ方向で−Ｙ方向の隅部近傍の位置に設けられている。詳述すると、第１突出部６４Ｌは、規制部６３Ｌに対して＋Ｘ方向で＋Ｙ方向に位置し、第１突出部６４Ｒは、規制部６３Ｒに対して−Ｘ方向で＋Ｙ方向に位置している。
カバー部材６Ａが装着部材４３Ａに装着された状態では、第１突出部６４Ｌは、左側枠部４３３Ｌの内側端縁に当接可能に配置され、第１突出部６４Ｌは、右側枠部４３３Ｒの内側端縁に当接可能に配置される。
【００４９】
図９は、頭部装着型表示装置１ＡのＹＺ平面に沿う断面を示す図であり、図８のＩＸ−ＩＸ線における断面を−Ｘ方向から見た頭部装着型表示装置１Ａの断面図である。換言すると、図９は、カバー部材６Ａが装着部材４３Ａに装着された状態での第１突出部６４Ｒと右側枠部４３３Ｒとの係合状態を示す図である。なお、図９においては、テンプル５Ｒの図示を省略している。
具体的に、第１突出部６４Ｒは、図９に示すように、右側枠部４３３Ｒの内側で、かつ、右側枠部４３３Ｒにおける＋Ｘ方向で−Ｙ方向の隅部に沿って配置される。すなわち、第１突出部６４Ｒは、右側枠部４３３Ｒの内側端縁のうち互いに交差する２つの部位に接触可能に配置される。詳述すると、第１突出部６４Ｒは、右側枠部４３３Ｒの内側端縁のうち＋Ｘ方向にて＋Ｙ方向に沿う内側端縁と、−Ｙ方向にて＋Ｘ方向に沿う内側端縁との２つの部位に接触可能に配置される。
【００５０】
このため、装着部材４３Ａに装着されたカバー部材６Ａが＋Ｘ方向又は−Ｙ方向に移動しようとしても、第１突出部６４Ｒが右側枠部４３３Ｒの内側端縁に当接することにより、カバー部材６Ａの同方向への移動が規制される。
なお、第１突出部６４Ｒの−Ｚ方向への突出寸法は、第１突出部６４Ｒにおける−Ｚ方向の先端部が右側導光部３２Ｒに接触しない程度の寸法である。
【００５１】
また、図示を省略するが、第１突出部６４Ｌは、左側枠部４３３Ｌの内側端縁のうち互いに交差する２つの部位に接触可能に配置される。詳述すると、第１突出部６４Ｌは、左側枠部４３３Ｌの内側端縁のうち−Ｘ方向にて＋Ｙ方向に沿う内側端縁と、−Ｙ方向にて＋Ｘ方向に沿う内側端縁との２つの部位に接触可能に配置される。このため、装着部材４３Ａに装着されたカバー部材６Ａが−Ｘ方向又は−Ｙ方向に移動しようとしても、第１突出部６４Ｌが左側枠部４３３Ｌの内側端縁に当接することにより、カバー部材６Ａの同方向への移動が規制される。
なお、第１突出部６４Ｌの−Ｚ方向への突出寸法は、第１突出部６４Ｒと同様に、第１突出部６４Ｌにおける−Ｚ方向の先端部が左側導光部３２Ｌに接触しない程度の寸法である。
【００５２】
図１０は、頭部装着型表示装置１ＡのＹＺ平面に沿う断面を示す図であり、図８のＸ−Ｘ線における断面を−Ｘ方向から見た頭部装着型表示装置１Ａの断面図である。換言すると、図１０は、カバー部材６Ａが装着部材４３Ａに装着された状態での第２突出部６５と移動規制部４３４との係合状態を示す図である。
第２突出部６５は、図７に示したように、上下逆向きの略Ｕ字状に形成され、対向面６１１における−Ｙ方向側の端縁における＋Ｘ方向の中央に設けられている。第２突出部６５は、カバー部材６Ａが装着部材４３Ａに装着されたときに、図１０に示すように、移動規制部４３４に当接可能な位置に配置される。そして、カバー部材６Ａが＋Ｙ方向に移動しようとした場合には、第２突出部６５が移動規制部４３４に当接することによって、カバー部材６Ａの＋Ｙ方向への移動が規制される。
【００５３】
図１１は、カバー部材６Ａを＋Ｙ方向側から見た平面図である。
なお、カバー部材６Ａは、図１１に示すように、＋Ｘ方向における中央から＋Ｘ方向及び−Ｘ方向に向かうに従って−Ｚ方向に傾斜している。換言すると、カバー本体６１における右側である＋Ｘ方向側の端部６１Ｒと、左側である−Ｘ方向側の端部６１Ｌとは、＋Ｘ方向における中央部６１Ｃに対して−Ｚ方向に位置している。
そして、本実施形態では、カバー部材６Ａにおいて中央部６１Ｃから端部６１Ｌまでの領域である左側領域６Ｌと、中央部６１Ｃから端部６１Ｒまでの領域である右側領域６Ｒとの交差角αは、１７０°未満に設定されている。これにより、装着部材４３Ａに対するカバー部材６Ａの本来の＋Ｚ方向側の面が装着部材４３Ａと対向する状態で、カバー部材６Ａが装着されること、すなわち、カバー部材６Ａが前後逆向きに装着されることを規制できる。
【００５４】
［他のカバー部材の構成］
図１２は、カバー部材７Ａが支持部４に装着された頭部装着型表示装置１Ａを正面側上方から見た斜視図である。
頭部装着型表示装置１Ａは、図１２に示すように、カバー部材６Ａに代えてカバー部材７Ａを採用することによっても構成できる。換言すると、装置本体２Ａは、カバー部材７Ａを着脱可能に構成されている。
【００５５】
図１３は、カバー部材７Ａを示す背面図であり、換言すると、カバー部材７Ａを−Ｚ方向側から見た平面図である。
カバー部材７Ａは、左側導光部３２Ｌ及び右側導光部３２Ｒを＋Ｚ方向にて覆うように装着部材４３Ａに着脱可能に装着されるものであり、カバー部材６Ａと同様の構成及び機能を有する。すなわち、カバー部材７Ａは、図１３に示すように、カバー本体７１及び磁石ＭＧ（ＭＧＬ，ＭＧＲ）を有する。
【００５６】
カバー本体７１は、カバー本体６１と同様に、装着部材４３Ａに対向する対向面７１１に、接触部６２Ｌ，６２Ｒと、規制部６３Ｌ，６３Ｒ、第１突出部６４Ｌ，６４Ｒ及び第２突出部６５と、を有する。そして、対向面７１１における接触部６２Ｌ，６２Ｒ、規制部６３Ｌ，６３Ｒ、第１突出部６４Ｌ，６４Ｒ及び第２突出部６５の配置位置は、対向面６１１における接触部６２Ｌ，６２Ｒ、規制部６３Ｌ，６３Ｒ、第１突出部６４Ｌ，６４Ｒ及び第２突出部６５の配置位置と同じである。また、接触部６２Ｌは磁石ＭＧＬを有し、接触部６２Ｒは磁石ＭＧＲを有する。
【００５７】
一方、カバー本体７１の外形は、カバー本体６１より小さい。
ここで、カバー部材６Ａでは、図８に示したように、左側領域６Ｌ及び右側領域６Ｒが、＋Ｚ方向から見て左側導光部３２Ｌ及び右側導光部３２Ｒを完全に覆うだけでなく、−Ｙ方向に更に拡張されている。これは、−Ｙ方向から＋Ｙ方向に向かって左側導光部３２Ｌ及び右側導光部３２Ｒに斜方入射される光をカバー部材６Ａによって遮蔽して、表示される画像のコントラストを高め、これにより、画像の視認性を高めることを目的としている。
【００５８】
図１４は、カバー部材７Ａが支持部４に装着された頭部装着型表示装置１Ａを示す正面図であり、換言すると、カバー部材７Ａを有する頭部装着型表示装置１Ａを＋Ｚ方向から見た平面図である。
これに対し、カバー部材７Ａのカバー本体７１は、図１４に示すように、＋Ｚ方向から見て装着部材４３Ａに応じた形状となっており、左側導光部３２Ｌを＋Ｚ方向にて覆う左側領域７Ｌと、右側導光部３２Ｒを＋Ｚ方向にて覆う右側領域７Ｒとは、−Ｙ方向にはそれほど広がっていない。これは、カバー部材７Ａの外観を良好とする他、軽量化を図ることを目的としている。
なお、カバー部材７Ａにおいても、＋Ｘ方向における両端は、＋Ｘ方向における中央より−Ｚ方向に位置しており、左側領域７Ｌと右側領域７Ｒとの交差角αは、１７０°未満に設定されている。
このようなカバー部材７Ａは、上記のように、カバー部材６Ａと同様の構成及び機能を有するので、カバー部材６Ａと同様の効果を奏することができる。
【００５９】
［第１実施形態の効果］
以上説明した本実施形態に係る頭部装着型表示装置１Ａによれば、以下の効果を奏することができる。
ユーザーの頭部に装着される頭部装着型表示装置１Ａは、所定の視認位置であるユーザーの左眼及び右眼に画像光を第１方向である−Ｚ方向に出射して表示する表示部３と、表示部３を支持する支持部４と、表示部３に対して−Ｚ方向とは反対方向である＋Ｚ方向に位置し、支持部４に対して着脱可能に設けられるカバー部材６Ａと、を備える。カバー部材６Ａは、支持部４の装着部材４３Ａに対向する対向面６１１に位置し、装着部材４３Ａと接触する接触部６２Ｌ，６２Ｒと、対向面６１１に位置し、装着部材４３Ａに向かって突出して、装着部材４３Ａの左側枠部４３３Ｌ及び右側枠部４３３Ｒに挿入される第１突出部６４Ｌ，６４Ｒと、を有する。支持部４の装着部材４３Ａは、カバー部材６Ａを磁力によって引き寄せる磁石４３６Ｌ，４３６Ｒを有し、カバー部材６Ａは、磁力によって装着部材４３Ａを引き寄せる磁石ＭＧＬ，ＭＧＲを有する。そして、接触部６２Ｌ，６２Ｒ及び第１突出部６４Ｌ，６４Ｒは、カバー部材６Ａを＋Ｚ方向から見てカバー部材６Ａの外縁より内側に設けられている。
【００６０】
これによれば、磁力作用部４３５Ｌ，４３５Ｒの磁石４３６Ｌ，４３６Ｒの磁力と、接触部６２Ｌ，６２Ｒの磁石ＭＧ（ＭＧＬ，ＭＧＲ）の磁力とによって、カバー部材６Ａを支持部４の装着部材４３Ａに装着できる。この状態で、装着部材４３Ａに沿ってカバー部材６Ａがスライドしようとした場合でも、左側枠部４３３Ｌ内及び右側枠部４３３Ｒ内に挿入される第１突出部６４Ｌ，６４Ｒが左側枠部４３３Ｌ及び右側枠部４３３Ｒの内側端縁に当接することによって、カバー部材６Ａのスライドを規制できる。従って、カバー部材６Ａが磁石４３６Ｌ，４３６Ｒ，ＭＧＬ，ＭＧＲの磁力の及ばない範囲にスライドして装着部材４３Ａから脱落することを抑制できる。
そして、接触部６２Ｌ，６２Ｒ及び第１突出部６４Ｌ，６４Ｒは、＋Ｚ方向から見てカバー部材６Ａの外縁より内側に設けられている。これによれば、カバー部材６Ａを装着部材４３Ａに装着した際に、カバー部材６Ａを装着部材４３Ａに装着するための構造を外部から見えにくくすることができる。また、磁石４３６Ｌ，４３６Ｒは、装着部材４３Ａにおける−Ｚ方向の面である背面４３１Ｂに設けられているので、カバー部材６Ａを支持部４から取り外した場合に、装着部材４３Ａにおいてカバー部材６Ａを装着するための構造を外部から見えにくくすることができる。従って、頭部装着型表示装置１Ａの外観を良好にできる。
なお、磁石ＭＧＬ，ＭＧＲが接触部６２Ｌ，６２Ｒを構成することによって、磁石４３６Ｌの磁界内に磁石ＭＧＬを配置しやすくすることができる他、磁石４３６Ｒの磁界内に磁石ＭＧＲを配置しやすくすることができる。従って、カバー部材６Ａをより強固に装着部材４３Ａ、ひいては、支持部４に装着できる。
これらの効果は、カバー部材７Ａを用いた場合も同様である。
【００６１】
表示部３は、左側表示部３Ｌ及び右側表示部３Ｒを備える。左側表示部３Ｌは、左眼用画像光を出射する画像出射部としての左側出射部３１Ｌと、左側出射部３１Ｌによって出射された左眼用画像光をユーザーの左眼に導く左側導光部３２Ｌと、を備える。同様に、右側表示部３Ｒは、右眼用画像光を出射する画像出射部としての右側出射部３１Ｒと、右側出射部３１Ｒから出射された右眼用画像光をユーザーの右眼に導く右側導光部３２Ｒと、を備える。支持部４の装着部材４３Ａは、左側導光部３２Ｌに対してカバー部材６Ａ側に位置し、左側導光部３２Ｌによって導かれる左眼用画像光による左眼用画像の表示位置を囲む左側枠部４３３Ｌと、右側導光部３２Ｒに対してカバー部材６Ａ側に位置し、右側導光部３２Ｒによって導かれる右眼用画像光による右眼用画像の表示位置を囲む右側枠部４３３Ｒと、を有する。そして、第１突出部６４Ｌは、左側枠部４３３Ｌの内側端縁と当接可能に配置され、第１突出部６４Ｒは、右側枠部４３３Ｒの内側端縁と当接可能に配置される。
これによれば、第１突出部６４Ｌ，６４Ｒが挿入される凹部を装着部材４３Ａに別途設ける必要がない。従って、カバー部材６Ａが装着されていない状態で利用される頭部装着型表示装置１Ａ、すなわち、単体で頭部装着型表示装置として利用可能な装置本体２Ａの外観を良好にできる。カバー部材６Ａに代えてカバー部材７Ａを用いた場合も同様である。
【００６２】
第１突出部６４Ｌは、左側枠部４３３Ｌの内側端縁のうち互いに交差する２つの部位に接触可能に配置され、第１突出部６４Ｒは、右側枠部４３３Ｒの内側端縁のうち互いに交差する２つの部位に接触可能に配置されている。すなわち、第１突出部６４Ｌは、左側枠部４３３Ｌの内側端縁における−Ｘ方向で−Ｙ方向の隅部に応じた位置で、−Ｘ方向に沿う内側端縁及び＋Ｙ方向に沿う内側端縁の２つの部位と接触可能に配置されている。また、第１突出部６４Ｒは、右側枠部４３３Ｒの内側端縁における＋Ｘ方向で−Ｙ方向の隅部に応じた位置で、＋Ｘ方向に沿う内側端縁及び＋Ｙ方向に沿う内側端縁の２つの部位と接触可能に配置されている。
これによれば、カバー部材６Ａが装着部材４３Ａに沿って±Ｘ方向及び−Ｙ方向にスライドすることを規制できる。また、２つの第１突出部６４Ｌ，６４Ｒによって３方向のカバー部材６Ａのスライドを規制できるので、±Ｘ方向及び±Ｙ方向ごとにカバー部材の移動を規制する突出部を設ける場合に比べて、カバー部材６Ａの構成を簡略化できる。更に、第１突出部６４Ｌ，６４Ｒは、左側枠部４３３Ｌ及び右側枠部４３３Ｒの内側端縁において装着部材４３Ａの外側に位置する部位に当接可能に設けられている。このため、第１突出部６４Ｌ，６４Ｒをユーザーが視認しづらい位置に配置できる。カバー部材６Ａに代えてカバー部材７Ａを用いた場合も同様である。
【００６３】
ここで、左側導光部３２Ｌ及び右側導光部３２Ｒは、左眼用画像及び右眼用画像を界面にて内面反射させることによってユーザーの左眼及び右眼に導く。このため、左側導光部３２Ｌ及び右側導光部３２Ｒにおいて、画像が反射される界面に接触する部材が存在すると、画像を適切に導くことができなくなるおそれがある。
これに対し、第１突出部６４Ｌ，６４Ｒの−Ｚ方向への突出寸法は、左側導光部３２Ｌ及び右側導光部３２Ｒと接触しない寸法である。これによれば、左側導光部３２Ｌ及び右側導光部３２Ｒに第１突出部６４Ｌ，６４Ｒが接触しないようにすることができる。従って、左側導光部３２Ｌ及び右側導光部３２Ｒが左眼用画像及び右眼用画像をユーザーの左眼及び右眼に適切に導くことができる。
【００６４】
カバー部材６Ａ，７Ａは、対向面６１１，７１１において接触部６２Ｌに対して第１突出部６４Ｌの配置側に位置し、支持部４の装着部材４３Ａと接触して、第１突出部６４Ｌが左側導光部３２Ｌと接触することを規制する規制部６３Ｌを有する。また、カバー部材６Ａ，７Ａは、対向面６１１，７１１において接触部６２Ｒに対して第１突出部６４Ｒの配置側に位置し、装着部材４３Ａと接触して、第１突出部６４Ｒが右側導光部３２Ｒと接触することを規制する規制部６３Ｒを有する。
これによれば、上記のように、左側導光部３２Ｌ及び右側導光部３２Ｒに第１突出部６４Ｌ，６４Ｒが接触することを抑制できるので、左眼用画像及び右眼用画像をユーザーの左眼及び右眼に適切に導くことができる。また、正面４３１Ａと接触する規制部６３Ｌ，６３Ｒが上記のように配置されることによって、カバー部材６Ａ，７Ａが−Ｙ方向を向くように傾斜して装着部材４３Ａに装着されることを抑制できる。
【００６５】
表示部３は、ユーザーの右眼に応じて設けられる右側導光部３２Ｒと、ユーザーの左眼に応じて設けられる左側導光部３２Ｌと、を含む。装着部材４３Ａは、枠部として、右側導光部３２Ｒに応じて設けられる右側枠部４３３Ｒと、左側導光部３２Ｌに応じて設けられる左側枠部４３３Ｌと、を有する。カバー部材６Ａ，７Ａは、カバー部材６Ａ，７Ａを第１方向とは反対方向である＋Ｚ方向から見てカバー部材６Ａ，７Ａの外縁より内側に設けられ、装着部材４３Ａにおいて右側枠部４３３Ｒ及び左側枠部４３３Ｌの間の移動規制部４３４に＋Ｙ方向に向かって当接可能な第２突出部６５を有する。一方、第１突出部６４Ｒは、右側枠部４３３Ｒの隅部のうち、左側枠部４３３Ｌとは反対側である＋Ｘ方向で−Ｙ方向の隅部に応じて設けられている。また、第１突出部６４Ｌは、左側枠部４３３Ｌの隅部のうち、右側枠部４３３Ｒとは反対側である−Ｘ方向で−Ｙ方向の隅部に応じて設けられている。
これによれば、上記のように、第１突出部６４Ｌ，６４Ｒによって、カバー部材６Ａ，７Ａが装着部材４３Ａに沿って±Ｘ方向及び−Ｙ方向にスライドすることを抑制できる。また、第２突出部６５によって、カバー部材６Ａ，７Ａが装着部材４３Ａに沿って＋Ｙ方向にスライドすることを抑制できる。従って、カバー部材６Ａ，７Ａがずれて装着部材４３Ａからカバー部材６Ａ，７Ａが脱離することを抑制できる。
【００６６】
左側導光部３２Ｌ及び右側導光部３２Ｒは、カバー部材６Ａ，７Ａ側である＋Ｚ方向から入射される光を透過させる透光性を有する。一方、カバー部材６Ａ，７Ａは、入射される光の透過を抑制する透過抑制特性を有する。
これによれば、ユーザーの左眼及び右眼に応じて配置されて、左眼用画像光及び右眼用画像光を導く左側導光部３２Ｌ及び右側導光部３２Ｒが透光性を有するので、表示された画像と外界とを観察可能なシースルー型の頭部装着型表示装置１Ａを構成できる。
また、左側導光部３２Ｌ及び右側導光部３２Ｒに対して＋Ｚ方向に装着されるカバー部材６Ａ，７Ａが透過抑制特性を有するので、頭部装着型表示装置１Ａの外部からユーザーの眼に入射される光を低減でき、表示される画像を観察しやすくすることができる。
【００６７】
装着部材４３Ａは、互いに離間して設けられる支持部側第１磁石及び支持部側第２磁石としての磁石４３６Ｌ，４３６Ｒを有する。カバー部材６Ａ，７Ａは、磁石４３６Ｌ，４３６Ｒと引き合うカバー側第１磁石及びカバー側第２磁石としての磁石ＭＧＬ，ＭＧＲを有する。そして、磁石４３６Ｌにおいてカバー部材６Ａ，７Ａと対向する面の磁極と、磁石４３６Ｒにおいてカバー部材６Ａ，７Ａと対向する面の磁極とは異なる。換言すると、磁石ＭＧＬにおいて装着部材４３Ａと対向する面の極性と、磁石ＭＧＲにおいて装着部材４３Ａと対向する面の極性とは異なる。
これによれば、左右が逆となるようにカバー部材６Ａ，７Ａが装着部材４３Ａに装着されることを抑制できる。
【００６８】
装着部材４３Ａは、磁石４３６Ｌ，４３６Ｒと、磁石４３６Ｌ，４３６Ｒの磁力による吸着力を高めるヨーク４３８と、を有する。
これによれば、ヨーク４３８によって磁石４３６Ｌ，４３６Ｒの吸着力を増幅できるので、カバー部材６Ａ，７Ａを装着部材４３Ａに強固に装着できる。この他、ヨーク４３８によって磁石４３６Ｌ，４３６Ｒの磁束の向きを制御できるので、磁石４３６Ｌ，４３６Ｒに対して−Ｚ方向に位置する制御部の回路素子に、磁石４３６Ｌ，４３６Ｒの磁力が悪影響を及ぼすことを抑制できる。
【００６９】
カバー部材６Ａ，７Ａは、ユーザーの右眼に応じて配置され、右側導光部３２Ｒを＋Ｚ方向にて覆う右側領域６Ｒと、ユーザーの左眼に応じて配置され、左側導光部３２Ｌを＋Ｚ方向にて覆う左側領域６Ｌと、を有する。そして、右側領域６Ｒ及び左側領域６Ｌは、互いに離れる方向に向かうに従って、装着部材４３Ａ側、すなわち、−Ｚ方向に傾斜している。そして、右側領域６Ｒと左側領域６Ｌとの交差角αは、１７０°未満である。
これによれば、カバー部材６Ａの表裏が逆向きに装着部材４３Ａに装着されることを抑制できる。この他、装着部材４３Ａに対してカバー部材６Ａが±Ｘ方向にスライドすることを抑制できる。
【００７０】
カバー部材６Ａは、画像光を出射して画像を表示する表示部３が設けられる支持部４を備える頭部装着型表示装置１Ａの支持部４を構成する装着部材４３Ａに着脱可能に設けられる。カバー部材６Ａは、装着部材４３Ａと接触する接触部６２Ｌ，６２Ｒと、装着部材４３Ａに向かって突出して、装着部材４３Ａに挿入される突出部としての第１突出部６４Ｌ，６４Ｒと、磁力によって装着部材４３Ａを引き寄せる磁石ＭＧＬ，ＭＧＲと、有する。そして、カバー部材６Ａにおいて接触部６２Ｌ，６２Ｒ及び第１突出部６４Ｌ，６４Ｒは、カバー部材６Ａを表示部３による画像光の出射側とは反対側である＋Ｚ方向から見てカバー部材６Ａの外縁より内側に設けられている。カバー部材７Ａも同様である。
このようなカバー部材６Ａ，７Ａが、単体で利用可能な装置本体２Ａの装着部材４３Ａに装着されることによって、頭部装着型表示装置１Ａは上記効果を奏することができる。また、カバー部材６Ａ，７Ａを装着部材４３Ａに装着した際に、カバー部材６Ａ，７Ａを装着部材４３Ａに装着するための構造を外部から見えにくくすることができるので、頭部装着型表示装置１Ａの外観を良好にできる。
【００７１】
［第１実施形態の変形］
上記したカバー部材６Ａ，７Ａは、カバー本体６１から−Ｚ方向に突出する２つの第１突出部６４Ｌ，６４Ｒを有するとした。しかしながら、これに限らず、左側枠部４３３Ｌ及び右側枠部４３３Ｒの内側に配置されて、これらの内側端縁と接触することによってカバー部材のスライドを規制する第１突出部の位置及び数は、適宜変更可能である。
例えば、第１突出部６４Ｌは、左側枠部４３３Ｌの＋Ｘ方向に位置する２つの隅部のうちのいずれかに設けられ、第１突出部６４Ｒは、右側枠部４３３Ｒの−Ｘ方向に位置する２つの隅部のうちのいずれかに設けられていてもよい。
【００７２】
図１５は、カバー部材６Ａの変形であるカバー部材６ＡＡを示す背面図であり、換言すると、カバー部材６ＡＡを−Ｚ方向側から見た平面図である。
また例えば、図１５に示すカバー部材６ＡＡのように、装着部材４３Ａに装着された場合に、左側枠部４３３Ｌにより形成される左側開口部４３２Ｌ内に配置される２つの第１突出部６４Ｌ，６４Ｌ１と、右側枠部４３３Ｒにより形成される右側開口部４３２Ｒ内に配置される２つの第１突出部６４Ｒ，６４Ｒ１と、を有する構成としてもよい。
【００７３】
詳述すると、カバー部材６ＡＡは、第１突出部６４Ｌ，６４Ｒに加えて第１突出部６４Ｌ１，６４Ｒ１を更に有する他は、カバー部材６Ａと同様の構成及び機能を有する。
第１突出部６４Ｌ１は、装着部材４３Ａにカバー部材６ＡＡが装着されたときに、左側枠部４３３Ｌの内側端縁における−Ｘ方向の部位及び＋Ｙ方向の部位に当接可能に配置されている。すなわち、第１突出部６４Ｌ１は、左側枠部４３３Ｌの内側端縁における−Ｘ方向で＋Ｙ方向の隅部に応じて設けられている。
第１突出部６４Ｒ１は、装着部材４３Ａにカバー部材６ＡＡが装着されたときに、右側枠部４３３Ｒの内側端縁における＋Ｘ方向の部位及び＋Ｙ方向の部位に当接可能に配置されている。すなわち、第１突出部６４Ｒ１は、右側枠部４３３Ｒの内側端縁における＋Ｘ方向で＋Ｙ方向の隅部に応じて設けられている。
そして、上記第１突出部６４Ｌ，６４Ｒに加えて第１突出部６４Ｌ１，６４Ｒ１が左側枠部４３３Ｌ及び右側枠部４３３Ｒの各内側端縁に当接することによって、装着部材４３Ａに沿うカバー部材６ＡＡの±Ｘ方向及び±Ｙ方向へのスライドが規制される。
なお、第１突出部６４Ｌ１，６４Ｒ１の−Ｚ方向への突出寸法は、第１突出部６４Ｌ，６４Ｒと同様に、左側導光部３２Ｌ及び右側導光部３２Ｒと接触しない寸法に設定されている。
【００７４】
このようなカバー部材６ＡＡを備える頭部装着型表示装置１Ａによれば、カバー部材６Ａを備える頭部装着型表示装置１Ａと同様の効果を奏することができる他、以下の効果を奏することができる。
表示部３は、導光部として、ユーザーの右眼に応じて設けられる右側導光部３２Ｒと、ユーザーの左眼に応じて設けられる左側導光部３２Ｌと、を有する。装着部材４３Ａは、枠部として、右側導光部３２Ｒに応じて設けられる右側枠部４３３Ｒと、左側導光部３２Ｌに応じて設けられる左側枠部４３３Ｌと、を有する。カバー部材６ＡＡが有する第１突出部６４Ｌ，６４Ｌ１，６４Ｒ，６４Ｒ１のうち、第１突出部６４Ｌ，６４Ｌ１は、左側枠部４３３Ｌの内側端縁の隅部のうち、右側枠部とは反対側である−Ｘ方向に位置する２つの隅部に応じて設けられ、第１突出部６４Ｒ，６４Ｒ１は、右側枠部４３３Ｒの内側端縁の隅部のうち左側枠部４３３Ｌとは反対側である＋Ｘ方向に位置する２つの隅部に応じて設けられている。
これによれば、４つの第１突出部６４Ｌ，６４Ｌ１，６４Ｒ，６４Ｒ１によって、装着部材４３Ａに沿うカバー部材６ＡＡのスライドを規制できる。従って、カバー部材６ＡＡの装着部材４３Ａからの脱落を抑制できる。
【００７５】
なお、第１突出部６４Ｌ，６４Ｌ１，６４Ｒ，６４Ｒ１によって、装着部材４３Ａに沿うカバー部材６ＡＡのスライドが規制されることから、移動規制部４３４に当接してカバー部材６ＡＡの＋Ｙ方向へのスライドを規制する第２突出部６５は無くてもよい。
また、カバー部材６ＡＡが第１突出部６４Ｌ，６４Ｒ１を有する場合には、第１突出部６４Ｌ１，６４Ｒは無くてもよい。逆に、カバー部材６ＡＡが第１突出部６４Ｌ１，６４Ｒを有する場合には、第１突出部６４Ｌ，６４Ｒ１は無くてもよい。
更に、第１突出部６４Ｌ，６４Ｌ１に代えて、第１突出部６４Ｌ，６４Ｌ１が一体化された１つの第１突出部が設けられていてもよく、第１突出部６４Ｒ，６４Ｒ１に代えて、第１突出部６４Ｒ，６４Ｒ１が一体化された１つの第１突出部が設けられていてもよい。
【００７６】
［第２実施形態］
次に、本発明の第２実施形態について説明する。
本実施形態に係る頭部装着型表示装置は、第１実施形態に係る頭部装着型表示装置１Ａと同様の構成を備えるが、装着部材及びカバー部材に更に多くの磁石が設けられている点で、頭部装着型表示装置１Ａと相違する。なお、以下の説明では、既に説明した部分と同一又は略同一である部分については、同一の符号を付して説明を省略する。
【００７７】
図１６は、本実施形態に係る頭部装着型表示装置１Ｂの装置本体２Ｂを示す正面図であり、換言すると、装置本体２Ｂを＋Ｚ方向から見た平面図である。図１７は、頭部装着型表示装置１Ｂを構成し、装置本体２Ｂに装着されるカバー部材６Ｂを示す背面図であり、換言すると、カバー部材６Ｂを−Ｚ方向から見た平面図である。
本実施形態に係る頭部装着型表示装置１Ｂは、頭部装着型表示装置１Ａと同様に、ユーザーの頭部に装着されて、ユーザーによって視認可能に画像を表示するものである。頭部装着型表示装置１Ｂは、図１６に示す装置本体２Ｂを備える他、図１７に示すカバー部材６Ｂを備える。なお、カバー部材６Ｂについては、後に詳述する。
【００７８】
［装着部材の構成］
装置本体２Ｂは、図１６に示すように、装着部材４３Ａに代えて装着部材４３Ｂを有する他は、装置本体２Ａと同様の構成及び機能を有する。
装着部材４３Ｂは、装着部材４３Ａに代えて支持部４を構成するものであり、フレーム４１（図１等参照）、左側導光部３２Ｌ及び右側導光部３２Ｒを＋Ｚ方向にて覆う状態にて、左側筐体４２Ｌ及び右側筐体４２Ｒに固定される。装着部材４３Ｂは、磁力作用部４３５Ｌ１，４３５Ｒ１を更に有する他は、装着部材４３Ａと同様の構成及び機能を有する。
【００７９】
磁力作用部４３５Ｌ１は、本体部４３１の正面４３１Ａにおいて磁力作用部４３５Ｌに対して−Ｙ方向に位置する。換言すると、磁力作用部４３５Ｌ１は、正面４３１Ａにおいて左側である−Ｘ方向で−Ｙ方向の隅部近傍に設けられている。
磁力作用部４３５Ｒ１は、正面４３１Ａにおいて磁力作用部４３５Ｒに対して−Ｙ方向に位置する。換言すると、磁力作用部４３５Ｒ１は、正面４３１Ａにおいて右側である＋Ｘ方向で−Ｙ方向の隅部近傍に設けられている。
図示を省略するが、磁力作用部４３５Ｌ１は、磁力作用部４３５Ｌと同様に、磁力作用部４３５Ｌ１に応じて背面４３１Ｂに形成された凹部内にそれぞれ設けられる磁石４３６Ｌ、接着シート４３７及びヨーク４３８を有する。また、磁力作用部４３５Ｒ１は、磁力作用部４３５Ｒと同様に、磁力作用部４３５Ｒ１に応じて背面４３１Ｂに形成された凹部内にそれぞれ設けられる磁石４３６Ｒ、接着シート４３７及びヨーク４３８を有する。
【００８０】
［カバー部材の構成］
カバー部材６Ｂは、カバー部材６Ａと同様の透過抑制特性を有し、装着部材４３Ｂに設けられた各磁石４３６Ｌ，４３６Ｒの磁力によって装着部材４３Ｂの正面４３１Ａに着脱可能に装着される。カバー部材６Ｂは、図１７に示すように、接触部６２Ｌ１，６２Ｒ１を更に有する一方で、規制部６３Ｌ，６３Ｒが設けられていない他は、カバー部材６Ａと同様の構成及び機能を有する。換言すると、カバー部材６Ｂは、規制部６３Ｌ，６３Ｒに代えて、規制部６３Ｌ，６３Ｒの位置に配置される接触部６２Ｌ１，６２Ｒ１を有する他は、カバー部材６Ａと同様の構成及び機能を有する。
【００８１】
接触部６２Ｌ１は、カバー本体６１における−Ｚ方向の面である対向面６１１において接触部６２Ｌに対する−Ｙ方向に位置する。詳述すると、接触部６２Ｌ１は、対向面６１１において−Ｘ方向で−Ｙ方向の隅部近傍に設けられている。接触部６２Ｌ１は、磁石ＭＧ（ＭＧＬ１）を有し、接触部６２Ｌと同様に略円筒状に形成されている。
接触部６２Ｒ１は、対向面６１１において接触部６２Ｒに対する−Ｙ方向に位置する。詳述すると、接触部６２Ｒ１は、対向面６１１において＋Ｘ方向で−Ｙ方向の隅部近傍に設けられている。接触部６２Ｒ１は、磁石ＭＧ（ＭＧＲ１）を有し、接触部６２Ｒと同様に略円筒状に形成されている。
磁石ＭＧＬ１，ＭＧＲ１は、磁石ＭＧＬ，ＭＧＲと同様に、カバー側第１磁石及びカバー側第２磁石に相当する。
各磁石ＭＧＬ１，ＭＧＲ１の配置位置は、カバー部材６Ｂが装着部材４３Ｂに装着されたときの磁力作用部４３５Ｌ１，４３５Ｒ１の磁石４３６Ｌ，４３６Ｒに対応する位置である。そして、装着部材４３Ｂの磁石４３６Ｌ，４３６Ｒによって磁石ＭＧＬ，ＭＧＬ１，ＭＧＲ，ＭＧＲ１が引き寄せられることによって、カバー部材６Ｂは、装着部材４３Ｂ、ひいては、支持部４に装着される。
【００８２】
本実施形態においては、カバー部材６Ｂは、規制部６３Ｌ，６３Ｒを備えていない。これは、＋Ｙ方向において互いに離間して配置される接触部６２Ｌ，６２Ｌ１及び接触部６２Ｒ，６２Ｒ１が装着部材４３Ｂの正面４３１Ａに接触することによって、カバー部材６Ｂの−Ｙ方向への傾きが抑制されるためである。しかしながら、これに限らず、カバー部材６Ｂは、規制部６３Ｌ，６３Ｒを有していてもよい。
【００８３】
［第２実施形態の効果］
以上説明した本実施形態に係る頭部装着型表示装置１Ｂによれば、第１実施形態にて示した頭部装着型表示装置１Ａと同様の効果を奏することができる。
なお、図示を省略するが、カバー部材７Ａのカバー本体７１に、規制部６３Ｌ，６３Ｒに代えて接触部６２Ｌ１，６２Ｒ１を設け、各接触部６２Ｌ１，６２Ｒ１に磁石ＭＧＬ１，ＭＧＲ１を設けたカバー部材を構成してもよい。このようなカバー部材をカバー部材６Ｂに代えて備える頭部装着型表示装置１Ｂにおいても、カバー部材６Ｂを備える頭部装着型表示装置１Ｂと同様の効果を奏することができる。
【００８４】
［第３実施形態］
次に、本発明の第３実施形態について説明する。
本実施形態に係る頭部装着型表示装置は、第１実施形態にて示した頭部装着型表示装置１Ａと同様の構成を備える。しかしながら、本実施形態に係る頭部装着型表示装置においては、装着部材が有する磁石は、カバー部材に対向する面にＳ極領域及びＮ極領域が設けられ、カバー部材が有する磁石は、装着部材に対向する面にＳ極領域及びＮ極領域が設けられている。この点で、本実施形態に係る頭部装着型表示装置と、第１実施形態にて示した頭部装着型表示装置１Ａとは相違する。なお、以下の説明では、既に説明した部分と同一又は略同一である部分については、同一の符号を付して説明を省略する。
【００８５】
図１８は、本実施形態に係る頭部装着型表示装置１Ｃの装置本体２Ｃを示す正面図であり、換言すると、装置本体２Ｃを＋Ｚ方向から見た平面図である。図１９は、頭部装着型表示装置１Ｃを構成するカバー部材６Ｃを示す背面図であり、換言すると、カバー部材６Ｃを−Ｚ方向から見た平面図である。
本実施形態に係る頭部装着型表示装置１Ｃは、頭部装着型表示装置１Ａ，１Ｂと同様に、ユーザーの頭部に装着されて使用され、ユーザーに視認可能に画像を表示する。頭部装着型表示装置１Ｃは、図１８に示す装置本体２Ｃを備える他、図１９に示すカバー部材６Ｃを備える。なお、カバー部材６Ｃについては、後に詳述する。
【００８６】
［装置本体の構成］
装置本体２Ｃは、図１８に示すように、装着部材４３Ａに代えて装着部材４３Ｃを有する他は、装置本体２Ａと同様の構成及び機能を有する。すなわち、装置本体２Ｃは、表示部３、支持部４及びテンプル５Ｌ，５Ｒを備え、支持部４は、左側導光部３２Ｌ及び右側導光部３２Ｒを支持するフレーム４１と、フレーム４１にそれぞれ固定されて左側出射部３１Ｌ及び右側出射部３１Ｒを収容する左側筐体４２Ｌ及び右側筐体４２Ｒと、装着部材４３Ｃと、を備える。
【００８７】
［装着部材の構成］
装着部材４３Ｃは、装着部材４３Ａと同様に、フレーム４１、左側導光部３２Ｌ及び右側導光部３２Ｒを＋Ｚ方向にて覆う状態にて、左側筐体４２Ｌ及び右側筐体４２Ｒに固定される。装着部材４３Ｃは、磁石４３６Ｌ，４３６Ｒに代えて磁石４３６ＬＣ，４３６ＲＣを有する他は、装着部材４３Ａと同様の構成及び機能を有する。すなわち、装着部材４３Ｃの磁力作用部４３５Ｌは、磁石４３６Ｌに代えて磁石４３６ＬＣを有し、磁力作用部４３５Ｒは、磁石４３６Ｒに代えて磁石４３６ＲＣを有する。磁石４３６ＬＣ，４３６ＲＣは、支持部側第１磁石及び支持部側第２磁石に相当する他、支持部側磁石に相当する。
【００８８】
磁石４３６ＬＣは、カバー部材６Ｃに対向する＋Ｚ方向の面に、磁極が異なる領域であるＮ極領域ＡＮ１及びＳ極領域ＡＳ１を有する。磁石４３６ＲＣも同様である。
本実施形態では、磁石４３６ＬＣ，４３６ＲＣにおいて、Ｎ極領域ＡＮ１は、＋Ｘ方向における装着部材４３Ｃの中央側に位置し、Ｓ極領域ＡＳ１は、装着部材４３Ｃの外側に位置している。しかしながら、これに限らず、例えばＮ極領域ＡＮ１及びＳ極領域ＡＳ１は、上記とは逆に配置されていてもよい。また例えば、磁石４３６ＬＣ，４３６ＲＣにおいてＮ極領域ＡＮ１及びＳ極領域ＡＳ１のうち一方が＋Ｘ方向に位置し、他方が−Ｘ方向に位置していてもよい。更に、各磁石４３６ＬＣ，４３６ＲＣにおいてＮ極領域ＡＮ１及びＳ極領域ＡＳ１のうち一方が＋Ｙ方向に位置し、他方が−Ｙ方向に位置していてもよく、Ｎ極領域ＡＮ１及びＳ極領域ＡＳ１の配置が磁石４３６ＬＣ，４３６ＲＣによって異なっていてもよい。すなわち、磁石４３６ＬＣ，４３６ＲＣにおけるＮ極領域ＡＮ１及びＳ極領域ＡＳ１の配置は、適宜変更してよい。
【００８９】
［カバー部材の構成］
カバー部材６Ｃは、図１９に示すように、磁石ＭＧ（ＭＧＬ，ＭＧＲ）に代えて磁石ＭＨ（ＭＨＬ，ＭＨＲ）を有する他は、カバー部材６Ａと同様の構成及び機能を有する。磁石ＭＨＬ，ＭＨＲは、カバー側第１磁石及びカバー側第２磁石に相当する他、カバー側磁石に相当する。
磁石ＭＨＬ，ＭＨＲは、磁石４３６ＬＣ，４３６ＲＣと同様に、装着部材４３Ｃと対向する−Ｚ方向の面に、それぞれ磁極が異なるＮ極領域ＡＮ２及びＳ極領域ＡＳ２を有する。
磁石ＭＨＬのＮ極領域ＡＮ２は、磁石４３６ＬＣのＳ極領域ＡＳ１に応じて設定及び配置され、磁石ＭＨＬのＳ極領域ＡＳ２は、磁石４３６ＬＣのＮ極領域ＡＮ１に応じて設定及び配置されている。
同様に、磁石ＭＨＲのＮ極領域ＡＮ２及びＳ極領域ＡＳ２は、磁石４３６ＲＣのＳ極領域ＡＳ１及びＮ極領域ＡＮ１に応じて設定及び配置されている。
【００９０】
［第３実施形態の効果］
以上説明した本実施形態に係る頭部装着型表示装置１Ｃによれば、第１実施形態にて示した頭部装着型表示装置１Ａと同様の効果を奏することができる他、以下の効果を奏することができる。
装着部材４３Ｃは、支持部側磁石として、カバー部材６Ｃに対向する面に磁極がそれぞれ異なる領域であるＮ極領域ＡＮ１及びＳ極領域ＡＳ１を有する磁石４３６ＬＣ，４３６ＲＣを備える。また、カバー部材６Ｃは、カバー側磁石として、装着部材４３Ｃに対向する面に磁石４３６ＬＣ，４３６ＲＣの磁極に応じたＮ極領域ＡＮ２及びＳ極領域ＡＳ２を有する磁石ＭＨＬ，ＭＨＲを備える。
これによれば、装着部材４３Ｃに沿ってカバー部材６Ｃがスライドしようとした時に、各磁石４３６ＬＣ，４３６ＲＣにおけるＮ極領域ＡＮ１及びＳ極領域ＡＳ１と各磁石ＭＨＬ，ＭＨＲにおけるＮ極領域ＡＮ２及びＳ極領域ＡＳ２とが反発して元に戻ろうとする。これにより、カバー部材６Ｃのスライド及びずれを抑制できる。
なお、磁石ＭＧＬ，ＭＧＲに代えて磁石ＭＨＬ，ＭＨＲが採用されたカバー部材７Ａによっても、同様の効果を奏することができる。
【００９１】
［実施形態の変形］
本発明は、上記各実施形態に限定されるものではなく、本発明の目的を達成できる範囲での変形、改良等は本発明に含まれるものである。
上記各実施形態では、装着部材４３Ａ〜４３Ｃが磁石４３６Ｌ，４３６Ｒ，４３６ＬＣ，４３６ＲＣを有し、カバー部材６Ａ〜６Ｃ，６ＡＡ，７Ａが磁石ＭＧ，ＭＨを有するとした。しかしながら、これに限らず、装着部材及びカバー部材のうち一方が磁石を有し、他方が磁石に引き寄せられる金属等の磁性体を有する構成としてもよい。
【００９２】
上記各実施形態では、磁石ＭＧＬは、接触部６２Ｌに配置され、磁石ＭＧＲは、接触部６２Ｒに配置されるとし、磁石ＭＧＬ１は、接触部６２Ｌ１に配置され、磁石ＭＧＲ１は、接触部６２Ｒ１に配置されるとした。更に、磁石ＭＨＬは、接触部６２Ｌに配置され、磁石ＭＨＲは、接触部６２Ｒに配置されるとした。しかしながら、カバー部材が有する磁石は、カバー部材において支持部と接触する接触部に配置されていなくてもよく、接触部から離れた位置に磁石が配置されていてもよい。すなわち、支持部が有する磁石の磁界にカバー部材が有する磁石が配置されていればよく、カバー部材が有する磁石の磁界に支持部が有する磁石が配置されていればよい。このため、例えば磁石ＭＧ，ＭＨは、カバー部材のカバー本体内に埋め込まれていてもよい。なお、この場合においても、装着部材及びカバー部材が有する磁石のうちの一方は、磁性体であってもよい。
【００９３】
上記各実施形態では、装着部材４３Ａ〜４３Ｃは、フレーム４１、左側導光部３２Ｌ及び右側導光部３２Ｒを＋Ｚ方向にて覆うように、フレーム４１における＋Ｘ方向の両端に取り付けられる左側筐体４２Ｌ及び右側筐体４２Ｒに固定されるとした。しかしながら、これに限らず、装着部材４３Ａ〜４３Ｃとフレーム４１とは、一体化されていてもよい。また、装着部材４３Ａ〜４３Ｃの固定位置は、左側筐体４２Ｌ及び右側筐体４２Ｒでなくてもよい。
【００９４】
上記各実施形態では、装着部材４３Ａ〜４３Ｃにおいて磁石４３６Ｌ，４３６Ｒ，４３６ＬＣ，４３６ＲＣは、正面４３１Ａの隅部近傍の位置に配置されるとし、カバー部材６Ａ〜６Ｃ，６ＡＡ，７Ａにおいて磁石ＭＧ，ＭＨは、対向面６１１の隅部近傍の位置に配置されるとした。しかしながら、これに限らず、装着部材の磁石とカバー部材の磁石とが互いに対応する位置に設けられていれば、これら磁石の配置位置は適宜変更可能である。例えば、装着部材における＋Ｘ方向の中央に磁石が設けられ、当該磁石に引き寄せられる磁石が、カバー部材における＋Ｘ方向の中央に設けられていてもよい。なお、この場合においても、装着部材及びカバー部材が有する磁石のうちの一方は、磁性体であってもよい。
【００９５】
上記各実施形態では、カバー部材６Ａ〜６Ｃ，６ＡＡ，７Ａは、入射される光の透過を抑制する透過抑制特性を有するとした。しかしながら、カバー部材全体が透過抑制特性を有していなくてもよい。例えば、カバー本体６１のみ透過抑制特性を有していてもよく、カバー本体６１において＋Ｚ方向から見て左側導光部３２Ｌ及び右側導光部３２Ｒに応じた領域のみ、透過抑制特性を有していてもよい。
更に、カバー部材６Ａ〜６Ｃ，６ＡＡ，７Ａは、入射光を略透過させない不透過特性を有していてもよく、入射光の略全てを透過させる透過特性を有していてもよい。
この他、カバー部材６Ａ〜６Ｃ，６ＡＡ，７Ａは、他の特性を有するものであってもよい。例えば、本発明におけるカバー部材は、入射された光のうち、所定波長の光を透過し、他の波長の光を遮蔽する波長選択性を有していてもよい。また、本発明におけるカバー部材は、所定の偏光光を透過し、他の偏光光を遮蔽する偏光特性を有していてもよい。また、本発明におけるカバー部材は、外光が入射される入射面に所定の色が付されたものであってもよい。
【００９６】
上記各実施形態では、第１突出部６４Ｌ，６４Ｌ１は、左側枠部４３３Ｌの内側端縁において互いに交差する２つの部位に当接できるように、左側枠部４３３Ｌの内側端縁における隅部に配置されるとした。同様に、第１突出部６４Ｒ，６４Ｒ１は、右側枠部４３３Ｒの内側端縁において互いに交差する２つの部位に当接できるように、右側枠部４３３Ｒの内側端縁における隅部に配置されるとした。しかしながら、これに限らず、第１突出部は、左側枠部４３３Ｌ及び右側枠部４３３Ｒの内側端縁の一部に当接可能に配置されてもよい。すなわち、第１突出部は、対応する枠部の内側端縁において＋Ｘ方向又は−Ｙ方向に沿って延出する１つの辺縁に当接可能に配置されていてもよい。また、カバー部材には、より多くの第１突出部が設けられていてもよい。
更に、カバー部材の第１突出部が挿入される装着部材の部位は、左側導光部３２Ｌ及び右側導光部３２Ｒにおいて画像が表示される部位を囲む左側枠部４３３Ｌ及び右側枠部４３３Ｒでなくてもよく、別途設けられた凹部であってもよい。
【００９７】
また、左側枠部４３３Ｌにより形成される左側開口部４３２Ｌの形状、及び、右側枠部４３３Ｒにより形成される右側開口部４３２Ｒの形状、すなわち、それぞれ＋Ｚ方向から見た場合の左側枠部４３３Ｌの内側端縁の形状、及び、右側枠部４３３Ｒの内側端縁の形状は、＋Ｚ方向から見て略矩形状でなくてもよく、楕円を含む円形状や、矩形以外の多角形状であってもよい。更には、左側枠部４３３Ｌの外形形状は、＋Ｚ方向から見て左側導光部３２Ｌの外形形状に応じた形状であってもよく、右側枠部４３３Ｒの外形形状は、＋Ｚ方向から見て右側導光部３２Ｒの外形形状に応じた形状であってもよい。すなわち、＋Ｚ方向から見た場合の枠部の内側形状及び外形形状は、適宜変更可能であり、第１突出部は、対応する枠部の内側端縁に接触すればよい。例えば、左側枠部４３３Ｌ内に挿入される第１突出部は、左側枠部４３３Ｌにおける−Ｘ方向の内側端縁と、＋Ｙ方向及び−Ｙ方向の少なくとも一方の内側端縁とに当接可能に設けられ、また、右側枠部４３３Ｒ内に挿入される第１突出部は、右側枠部４３３Ｒにおける＋Ｘ方向の内側端縁と、＋Ｙ方向又は−Ｙ方向の内側端縁とに当接可能に設けられていれば、±Ｘ方向のカバー部材のスライドと、＋Ｙ方向及び−Ｙ方向のうち少なくとも一方向のカバー部材のスライドとを規制できる。
一方、上記のように、第１突出部６４Ｌ，６４Ｌ１が一体化された１つの第１突出部が設けられていてもよく、第１突出部６４Ｒ，６４Ｒ１が一体化された１つの第１突出部が設けられていてもよい。
【００９８】
上記各実施形態では、第１突出部６４Ｌ，６４Ｌ１，６４Ｒ，６４Ｒ１の−Ｚ方向における先端部は、左側導光部３２Ｌ及び右側導光部３２Ｒに当接しない程度の寸法であるとした。また、カバー部材６Ａ，６ＡＡ，６Ｃ，７Ａは、第１突出部６４Ｌ，６４Ｌ１，６４Ｒ，６４Ｒ１が左側導光部３２Ｌ及び右側導光部３２Ｒに接触することを規制する規制部６３Ｌ，６３Ｒを有するとした。しかしながら、これに限らず、左側導光部３２Ｌ及び右側導光部３２Ｒによる導光を妨げなければ、第１突出部６４Ｌ，６４Ｌ１，６４Ｒ，６４Ｒ１は、左側導光部３２Ｌ及び右側導光部３２Ｒに接触してもよい。
【００９９】
上記各実施形態では、装着部材４３Ａ〜４３Ｃは、磁石４３６Ｌ，４３６Ｒ，４３６ＬＣ，４３６ＲＣの磁束の方向を制御するヨーク４３８を有するとした。しかしながら、これに限らず、ヨーク４３８は無くてもよい。また、ヨークは、カバー部材が備えていてもよい。
【０１００】
上記各実施形態では、カバー部材６Ａ〜６Ｃ，６ＡＡ，７Ａは、左側導光部３２Ｌを＋Ｚ方向にて覆う左側領域６Ｌ，７Ｌと、右側導光部３２Ｒを＋Ｚ方向にて覆う右側領域６Ｒ，７Ｒとが交差し、これらの交差角αは、１７０°未満であるとした。しかしながら、これに限らず、交差角αは適宜変更可能であり、また、カバー部材の本体部は、左側領域と右側領域とが連続した平坦面であってもよい。
【０１０１】
上記各実施形態では、固定部４３９Ｌは、装着部材４３Ａ〜４３Ｃにおける−Ｘ方向の端部近傍に設けられ、固定部４３９Ｒは、装着部材４３Ａ〜４３Ｃにおける＋Ｘ方向の端部近傍に設けられるとした。しかしながら、これに限らず、装着部材４３Ａ〜４３Ｃをフレーム４１に固定する固定部は、他の位置に設けられていてもよい。例えば、固定部は、フレーム４１において左側導光部３２Ｌ及び右側導光部３２Ｒに挟まれる位置に配置された取付部４１１と係合する位置に設けられていてもよい。すなわち、固定部は、カバー部材の第２突出部が当接して、カバー部材のスライドを規制する移動規制部４３４と同様の機能を有していてもよい。
【０１０２】
上記第１実施形態では、磁石４３６Ｌと磁石４３６Ｒとは、カバー部材６Ａ，７Ａに対向する面の磁極が互いに異なるとした。換言すると、磁石ＭＧＬと磁石ＭＧＲとは、装着部材４３Ａに対向する面の磁極が互いに異なるとした。しかしながら、これに限らず、磁石４３６Ｌ，４３６Ｒにおいてカバー部材６Ａ，７Ａに対向する面の磁極は、同じでもよく、磁石ＭＧＬ，ＭＧＲにおいて装着部材４３Ａに対向する面の磁極は、同じでもよい。
上記第２実施形態にて示したカバー部材６Ｂの各磁石ＭＧＬ，ＭＧＬ１，ＭＧＲ，ＭＧＲ１において装着部材４３Ｂに対向する面の磁極は、ランダムに異なっていてもよい。また例えば、磁石ＭＧＬ，ＭＧＬ１，ＭＧＲ，ＭＧＲ１のうち、＋Ｘ方向に位置する磁石ＭＧＲ，ＭＧＲ１と、−Ｘ方向に位置する磁石ＭＧＬ，ＭＧＬ１とで、装着部材４３Ｂに対向する面の磁極が異なっていてもよく、＋Ｙ方向に位置する磁石ＭＧＬ，ＭＧＲと、−Ｙ方向に位置する磁石ＭＧＬ１，ＭＧＲ１とで、装着部材４３Ｂに対向する面の磁極が異なっていてもよい。また例えば、カバー部材６Ｂの一方の対角線上の２つの磁石ＭＧＬ，ＭＧＲ１と、他方の対角線上の２つの磁石ＭＧＲ，ＭＧＬ１とで、装着部材４３Ｂに対向する面の磁極が異なっていてもよい。磁石ＭＧＬ１，ＭＧＲ１を更に有するカバー部材７Ａにおいても同様である。
【０１０３】
更に、上記第２実施形態にて示した装着部材４３Ｂに、磁石４３６Ｌ，４３６Ｒに代えて磁石４３６ＬＣ，４３６ＲＣを採用し、カバー部材６Ｂに、磁石ＭＧに代えて磁石ＭＨを採用してもよい。同様に、上記第１実施形態にて示した装着部材４３Ａに、磁石４３６Ｌ，４３６Ｒに代えて磁石４３６ＬＣ，４３６ＲＣを採用し、カバー部材６ＡＡに、磁石ＭＧに代えて磁石ＭＨを採用してもよい。
この他、磁石４３６ＬＣ，４３６ＲＣ及び磁石ＭＨＬ，ＭＨＲにおいてＮ極領域及びＳ極領域の位置及び向きは、対応する磁石同士が互いを引き付け合える配置であれば、適宜変更可能である。
すなわち、上記各実施形態にて示した頭部装着型表示装置が有する磁石において、数、形状、磁極の向き、磁界強度、磁束密度、並びに、Ｓ極領域及びＮ極領域の配置は、適宜変更可能である他、適宜組み合わせてもよい。
【０１０４】
上記各実施形態では、表示部３は、左眼用画像光をユーザーの左眼に入射させて左眼用画像を表示する左側表示部３Ｌと、右眼用画像光をユーザーの右眼に入射させて右眼用画像を表示する右側表示部３Ｒとを備える構成とした。しかしながら、これに限らず、左側表示部３Ｌ及び右側表示部３Ｒのうち一方は無くてもよい。
【符号の説明】
【０１０５】
１Ａ，１Ｂ，１Ｃ…頭部装着型表示装置、２Ａ，２Ｂ，２Ｃ…装置本体、３…表示部、３Ｌ…左側表示部、３Ｒ…右側表示部、３１Ｌ…左側出射部（画像出射部）、３１Ｒ…右側出射部（画像出射部）、３２Ｌ…左側導光部（導光部）、３２Ｒ…右側導光部（導光部）、４…支持部、４１…フレーム、４２Ｌ…左側筐体、４２Ｒ…右側筐体、４３Ａ〜４３Ｃ…装着部材、４３２Ｌ…左側開口部、４３２Ｒ…右側開口部、４３３Ｌ…左側枠部（枠部）、４３３Ｒ…右側枠部（枠部）、４３４…移動規制部、４３５Ｌ，４３５Ｌ１，４３５Ｒ，４５３Ｒ１…磁力作用部、４３６Ｌ，４３６Ｒ…磁石（支持部側第１磁石、支持部側第２磁石）、４３６ＬＣ，４３６ＲＣ…磁石（支持部側第１磁石、支持部側第２磁石、支持部側磁石）４３８…ヨーク、４３９Ｌ，４３９Ｒ…固定部、４３９１…上側腕部、４３９２…貫通孔、５Ｌ，５Ｒ…テンプル、６Ａ，６ＡＡ，６Ｂ，６Ｃ，７Ａ…カバー部材、６Ｌ，７Ｌ…左側領域、６Ｒ，７Ｒ…右側領域、６１１…対向面、６２Ｌ，６２Ｌ１…接触部、６２Ｒ，６２Ｒ１…接触部、６３Ｌ，６３Ｒ…規制部、６４Ｌ，６４Ｌ１，６４Ｒ，６４Ｒ１…第１突出部（突出部）、６５…第２突出部、ＡＮ１，ＡＮ２…Ｎ極領域、ＡＳ１，ＡＳ２…Ｓ極領域、ＭＧ（ＭＧＬ，ＭＧＬ１，ＭＧＲ，ＭＧＲ１）…磁石（カバー側第１磁石、カバー側第２磁石）、ＭＨ（ＭＨＬ，ＭＨＲ）…磁石（カバー側第１磁石、カバー側第２磁石、カバー側磁石）。
【図１】
2020053874.tif 000003
【図２】
2020053874.tif 000004
【図３】
2020053874.tif 000005
【図４】
2020053874.tif 000006
【図５】
2020053874.tif 000007
【図６】
2020053874.tif 000008
【図７】
2020053874.tif 000009
【図８】
2020053874.tif 000010
【図９】
2020053874.tif 000011
【図１０】
2020053874.tif 000012
【図１１】
2020053874.tif 000013
【図１２】
2020053874.tif 000014
【図１３】
2020053874.tif 000015
【図１４】
2020053874.tif 000016
【図１５】
2020053874.tif 000017
【図１６】
2020053874.tif 000018
【図１７】
2020053874.tif 000019
【図１８】
2020053874.tif 000020
【図１９】
2020053874.tif 000021